(57)【要約】【課題】コスト増加を伴うことなく、より多くの光量を導くことの可能な水平型光ダクトを提供する。【解決手段】採光部３に、第１の屈折体４ａと第２の屈折体４ｂとを設けるとともに、採光部上面３ａ、第１の下側傾斜面３ｂ、水平面３ｃ、第２の下側傾斜面３ｄに鏡面反射材を設ける。太陽高度に応じて、太陽光が、第１の屈折体４ａ、第２の屈折体４ｂ、さらに鏡面反射材が設けられてなる各鏡面反射面の、いずれか１つまたは複数を経由して伝播することにより、横からみた太陽光の進行方向が導光部５の延びる方向に沿って水平となるように採光部３において太陽光の進行方向を変更する。第１、第２の屈折体４ａ、４ｂおよび鏡面反射面を組み合わせて太陽光を伝播することによって、太陽高度に関係なく、横からみた太陽光の進行方向を水平方向に変更し、反射による光量の減衰を抑制する。【選択図】          図１
2015069777.tif 000002
【特許請求の範囲】
【請求項１】
太陽光を採光する採光部と、
前記採光部を通過した太陽光を導光する導光部と、
前記導光部が導光した太陽光を屋内空間に放光する放光部と、を備えた水平型光ダクトであって、
前記採光部は、横からみたときの太陽光の進行方向が前記導光部の延びる方向に沿って水平となるように、前記太陽光の進行方向を変更する進行方向変更部を有し、
当該進行方向変更部は光屈折体と鏡面反射部とを備え、
前記光屈折体と前記鏡面反射部とのいずれか一方または両方を通る伝播経路で太陽光を伝播することを特徴とする水平型光ダクト。
【請求項２】
前記光屈折体および前記鏡面反射部は、位置および姿勢が固定されていることを特徴とする請求項１記載の水平型光ダクト。
【請求項３】
前記採光部は角筒状に形成され、
前記鏡面反射部は前記採光部内側全面に固定され、
前記光屈折体は角柱状に形成され、前記採光部内の前記鏡面反射部で囲まれた空間に、前記光屈折体の長手方向が前記採光部の幅方向を向いて前記導光部の延びる方向と垂直となるように固定されることを特徴とする請求項１または請求項２記載の水平型光ダクト。
【発明の詳細な説明】
【技術分野】
【０００１】
本発明は、水平型光ダクトに関する。
【背景技術】
【０００２】
従来、太陽光を建物の室内まで取り込み、照明用光源として利用する照明方法が提案されている。
その一つに、太陽光を光ダクトにより屋内に導光し、放光口から放光することにより建屋内部を照明する方法がある。
この光ダクトには、屋根や屋上などから取り込んだ太陽光を下方向に導入する縦型と、建物壁面などから取り込んだ太陽光を水平方向に導入する水平型と、がある。
縦型の光ダクトは、光ダクトが建築物内の上下にわたって配置されるため、光ダクトを設置する分、床面積が減る。
【０００３】
これに対し、水平型の光ダクト（以下、水平型光ダクトという。）は、水平型光ダクトを設置するための階高の増分によって建築延べ面積が減るが、光ダクトを天井懐などに収納することができれば、階高の増分が小さいため床面積の低下を抑制することができる。
しかしながら、水平型光ダクトは、例えば図１２に示すように水平型光ダクト内壁に設けた鏡面反射面を用いて導光するようになっており、水平型光ダクトの採光部の鏡面反射面は、図１２（ａ）に示すように、平面からなる鏡面反射面が太陽に面するように傾斜して配置されているか、図１２（ｂ）に示すように、鏡面反射面が曲面となっていることが多い。そして、図１２（ａ）や（ｂ）に示すように、水平型光ダクトの採光部の鏡面反射面で反射された太陽光は、例えば図１３に示すように、水平型光ダクト内で反射を繰り返しながら、光を導きたい所まで搬送される。そのため、反射による光の減衰が大きい。
【０００４】
また、太陽高度が高いときには、小さい入射角度で鏡面反射を繰り返しながら搬送されることになり、鏡面反射回数が増加するため、導ける光量が少なくなる。また、鏡面反射回数を少なくするためには、ダクト背を大きくすることが考えられるが、ダクト背の大きな水平型光ダクトは天井懐に納まりきらない可能性がある。なお、ここでいうダクト背とは、水平状態にある光ダクトの高さ方向の幅をいう。
【０００５】
また、水平型光ダクトにおいて、導ける光量を増やすために図１４に示すように、太陽高度に合わせて反射面１０４ａの傾斜角度を自動調整する、太陽自動追尾のための可動部１０４を備えたシステムも提案されている（例えば、特許文献１参照）。なお、図１４において、１００Ｆは上階の床スラブ、１００Ｂは上階のベランダ、１０１は光放射部、１０２は導光ダクト、１０３は集光手段、１０３ａは凹面ミラー、１０３ｂは凸面ミラーである。
【先行技術文献】
【特許文献】
【０００６】
【特許文献１】実公平４−５５３６５号公報
【発明の概要】
【発明が解決しようとする課題】
【０００７】
しかしながら、太陽自動追尾のための可動部を設けた場合、その分コストが高くなり、ランニング費用がかかるという問題がある。
また、太陽自動追尾のための可動部１０４は、上階のベランダよりも屋外側に設置する必要があるため、建築面積が増える場合がある。さらに、太陽自動追尾のための可動部１０４の調整不良により、想定外のところに太陽光を反射させると、光害になる可能性がある。
そこで、この発明は、上記従来の未解決の問題に着目してなされたものであり、コスト増加を伴うことなく、より多くの光量を導くことの可能な水平型光ダクトを提供することを目的としている。
【課題を解決するための手段】
【０００８】
本発明の一態様は、太陽光を採光する採光部と、前記採光部を通過した太陽光を導光する導光部と、前記導光部が導光した太陽光を屋内空間に放光する放光部と、を備えた水平型光ダクトであって、前記採光部は、横からみたときの太陽光の進行方向が前記導光部の延びる方向に沿って水平となるように、前記太陽光の進行方向を変更する進行方向変更部を有し、当該進行方向変更部は光屈折体と鏡面反射部とを備え、前記光屈折体と前記鏡面反射部とのいずれか一方または両方を通る伝播経路で太陽光を伝播することを特徴とする水平型光ダクト、である。
【０００９】
前記光屈折体および前記鏡面反射部は、位置および姿勢が固定されていてよい。
前記採光部は角筒状に形成され、前記鏡面反射部は前記採光部内側全面に固定され、前記光屈折体は角柱状に形成され、前記採光部内の前記鏡面反射部で囲まれた空間に、前記光屈折体の長手方向が前記採光部の幅方向を向いて前記導光部の延びる方向と垂直となるように固定されていてよい。
【発明の効果】
【００１０】
本発明の一態様によれば、光屈折体と鏡面反射部とを備え、横からみたときの太陽光の進行方向が、導光部の延びる方向に沿って水平となるように太陽光の進行方向を変更する進行方向変更部を採光部に設け、水平型光ダクトの入り口部分で、太陽光の進行方向を変更するようにしたため、導光する際の反射回数を低減することができ、その結果、光量の減衰を抑制し、より多くの光量を放光部に導くことができる。
【図面の簡単な説明】
【００１１】
【図１】本発明を適用した水平型光ダクトの一例の概略構成を示す断面図である。
【図２】図１の採光部およびこれに繋がる導光部の一例を示す斜視図である。
【図３】本発明の動作説明に供する説明図である。
【図４】本発明の動作説明に供する説明図である。
【図５】採光部の具体例を示す図である。
【図６】本発明の動作説明に供する説明図である。
【図７】採光部の幅方向の概略構成を説明するための部分断面図である。
【図８】従来の水平型光ダクトの一例である。
【図９】従来の水平型光ダクトと本発明の水平型光ダクトの効果を比較した図である。
【図１０】本発明による水平型光ダクトの変形例である。
【図１１】本発明による水平型光ダクトの変形例である。
【図１２】従来の水平型光ダクトを説明するための説明図である。
【図１３】従来の水平型光ダクトを説明するための説明図である。
【図１４】従来の水平型光ダクトを説明するための説明図である。
【発明を実施するための形態】
【００１２】
以下、図面を参照して本発明の実施形態を説明する。
図１は、本発明における水平型光ダクト１の一例の概略構成を示す断面図である。図２は、水平型光ダクト１の採光部および採光部に繋がる導光部の一例を示す斜視図である。
図１に示すように、水平型光ダクト１は、天井板９３上に水平に配置されている。水平型光ダクト１は、太陽９１から照射された太陽光を採光する採光部３と、採光部３から射出された太陽光を導光する導光部５と、導光部５により導光された太陽光を室内空間９２の照明光として放光する放光部７と、を備える。
【００１３】
導光部５は、略角筒状に形成され、導光部５の内面には全面に鏡面反射材が設けられている。採光部３は導光部５の一端開口部に設けられ、放光部７は導光部５に繋がり、放光口７ａを備える。放光部７は、導光された光の進行方向を放光口７ａ側に変更する鏡面反射部８を備える。
採光部３は、導光部５に対して上方に傾斜して設けられて開口部が形成され、開口部は日中の太陽高度に対応してより多くの太陽光を入射可能な角度に形成される。この採光部３に太陽光の進行方向を変更する進行方向変更部が形成されている。
【００１４】
すなわち、図１に示すように、採光部３の採光部上面３ａの、太陽光の導光方向で下流側（以下、単に下流側という。）が、導光部上面５ａの、太陽光の導光方向で上流側（以下、単に上流側という。）と接合され、且つ、採光部上面３ａは、上流側が導光部上面５ａに対して上方に傾斜して接合される。
採光部３の下面側は、横からみた長さが、採光部上面３ａの横からみた長さと同等程度である第１の下側傾斜面３ｂと、第１の下側傾斜面３ｂの下流側と接合される水平面３ｃと、水平面３ｃの下流側に接続される第２の下側傾斜面３ｄとを備え、第２の下側傾斜面３ｄの下流側が導光部下面５ｂと接合される。
【００１５】
そして、採光部３の採光部上面３ａと導光部上面５ａとの接合部がなす角部分に、採光部３の幅方向に延びる角柱状の第１の屈折体４ａが配置され、第１の屈折体４ａと第１の下側傾斜面３ｂとの間に、採光部３の幅方向に延びる角柱状の第２の屈折体４ｂが間隙をもって配置される。第１の屈折体４ａおよび第２の屈折体４ｂは例えば、ガラス、水晶、樹脂などで形成される、入射光を反射或いは屈折させて出射することの可能な透明な材料で構成される。
【００１６】
第１の屈折体４ａは、採光部３の開口部に面した第１の面ｍ１と、第２の面ｍ２と、導光部上面５ａと垂直に設けられた第３の面ｍ３と、を備える。
第２の屈折体４ｂは、採光部３の開口部に面した第１の面ｍ１１と、第１の下側傾斜面３ｂに面した第２の面ｍ１２と、第２の屈折体４ｂに入射された太陽光の進行方向を、横からみて導光部５の延びる方向に沿って水平となるように変更して出射する第４の面ｍ１４と、第２の面ｍ１２と第４の面ｍ１４との間に形成される略水平面からなる第３の面ｍ１３と、を備える。
【００１７】
採光部上面３ａ、第１の下側傾斜面３ｂ、水平面３ｃ、第３の下側傾斜面３ｄにはそれぞれ鏡面反射材が配置されて、鏡面反射面が形成されている。
このように構成される採光部３では、第１の屈折体４ａ、第２の屈折体４ｂ、および各鏡面反射面のいずれかまたは複数を経由することによって、入射される太陽光の進行方向を、横からみて水平となるように変更する。すなわち、第１の屈折体４ａ、第２の屈折体４ｂ、および採光部上面３ａ、第１の下側傾斜面３ｂ、水平面３ｃ、第３の下側傾斜面３ｄのそれぞれに形成された鏡面反射面が、進行方向変更部を構成している。
【００１８】
太陽光の進行方向を、横からみて水平となるように変更する方法としては、３通りある。なお、以後、太陽光の進行方向を、横からみて水平となるように変更することを水平化ともいい、その方法を水平化方法ともいう。
第１の水平化方法は、第１の屈折体４ａまたは第２の屈折体４ｂによる、屈折体内における屈折と高屈折体から低屈折体（空気）への全反射とによるもの、第２の水平化方法は、鏡面反射面による鏡面反射によるもの、第３の水平化方法は、第１の屈折体４ａまたは第２屈折体４ｂによる、屈折体内における屈折と、鏡面反射面による鏡面反射とによるものである。
【００１９】
そして、太陽高度３０度からの太陽光は第１および第２の水平化方法のいずれかにより水平化する。太陽高度４０度からの太陽光は２種類の屈折体、すなわち第１の屈折体４ａおよび第２の屈折体４ｂのいずれかを用いて水平化する。太陽高度５０度からの太陽光は、第１の水平化方法により水平化する。太陽高度６０度および７０度からの太陽光は、第３の水平化方法を用いて水平化する。
【００２０】
各太陽高度からの太陽光を、これら３通りの水平化方法により、横からみて水平から±１０度以内の方向に進むように水平化する。
つまり、図３に示すように、太陽高度６０度からの太陽光のうち第２の屈折体４ｂに入射された太陽光の一部は、第２の屈折体４ｂの第１の面ｍ１１および第２の面ｍ１２で屈折されて出射された後、第１の下側傾斜面３ｂで反射されて水平化される。
【００２１】
また、第１の屈折体４ａに入射された太陽光の一部は、第１の屈折体４ａの第１の面ｍ１で屈折され、第２の面ｍ２で反射され、第３の面ｍ３で屈折されて出射された後、導光部上面５ａで反射されて水平化される。
また、図４に示すように、太陽高度３０度からの太陽光のうち第２の屈折体４ｂに入射された太陽光の一部は、第２の屈折体４ｂの第１の面ｍ１１で屈折され、第２の面ｍ１２で反射された後、第４の面ｍ１４で屈折されて出射されて水平化される。
また、太陽高度３０度からの太陽光のうち、直接第２の下側傾斜面３ｂに入射された太陽光は反射されて水平化される。
なお、第１の屈折体４ａ、第２の屈折体４ｂの形状や材質（屈折率）および、配置位置、採光部３の形状は、水平型光ダクト１が設置される地域、具体的には緯度や経度、周辺状況などに応じて設定される。
【００２２】
また、図３、図４では、採光部３に入射される太陽光のうち、主に進行方向変更部により進行方向が水平化される太陽光の光路を示している。採光部３に入射された太陽光は、図３、図４に示すように、進行方向変更部により進行方向が変更される光路だけでなく、実際には、各屈折体内で反射することもあり、また、太陽光は、図３や図４以外の経路で搬送されることもある。
なお、図３、図４は、屈折率１．５の透明屈折体を、第１の屈折体４ａ、第２の屈折体４ｂとして用い、鏡面反射率９９％の鏡面反射材を用いた場合の一例である。
例えば、図５に示すように、採光部上面３ａは、導光部上面５ａとのなす角が５０度となるように形成される。そして、第１の屈折体４ａは、横断面が一つの角が凹んだ五角形を有し、この凹んだ角が採光部上面３ａと導光部上面５ａのなす角度に沿って配置される。
【００２３】
第１の屈折体４ａの横断面において、凹んだ角を点ｐ１として左回りに他の頂点を点ｐ２〜点ｐ５としたとき、点ｐ３（第１の面ｍ１と第２の面ｍ２との接合部）は、導光部上面５ａの延長線上に位置し、点ｐ１と点ｐ３との間の距離は「２．３１ｋ」（ｋは単位長さを表す係数）、点ｐ２および点ｐ３を結ぶ線分と点ｐ１および点ｐ３を結ぶ線分がなす角度は３０度、点ｐ１および点ｐ３を結ぶ線分と点ｐ４および点ｐ３を結ぶ線分がなす角度は２５度、点ｐ１および点ｐ５を結ぶ線分と点ｐ４および点ｐ５を結ぶ線分とがなす角度は９０度に設定される。また、点ｐ１と開口部端面Ｌとの水平距離は「３．７１ｋ」である。
【００２４】
第２の屈折体４ｂは横断面が四角形を有し、第１の面ｍ１１と第４の面ｍ１４とがなす頂点を点ｐ１１とし、左周りに他の頂点を点ｐ１２〜点ｐ１４としたとき、点ｐ３と点ｐ１１とを結ぶ線分と垂線とがなす角度は６０度であり、点ｐ１１および点ｐ４を結ぶ線分と、点ｐ１１および点ｐ１４を結ぶ線分とがなす角度は５２度である。
また、点ｐ１１および点ｐ１２を結ぶ線分と点ｐ１１および点ｐ４を結ぶ線分とがなす角度は１１度であり、点ｐ１２は開口部端面Ｌ上の点である。点ｐ１２および点ｐ１３を結ぶ線分が点ｐ１２を通る水平線となす角度は１８度であり、点ｐ１１および点ｐ１２を結ぶ線分の垂線と、点ｐ１１および点ｐ１３を結ぶ線分とがなす角度は２３．３度である。また、点ｐ１３と点ｐ１４とを結ぶ線分は水平線である。
【００２５】
そして、図５において第１の下側傾斜面３ｂの上流側の端部が開口部端面Ｌと接する位置を点ｐ２１、第１の下側傾斜面３ｂと水平面３ｃとの接合部を点ｐ２２、水平面３ｃと第２の下側傾斜面３ｄとの接合部を点ｐ２３としたとき、点ｐ２１および点ｐ１３とを結ぶ線分と点ｐ１３を通る水平線とがなす角度は１．５度であり、点ｐ２１および点ｐ１３を結ぶ線分と点ｐ２１および点ｐ２２を結ぶ線分とがなす角度は４１度、点ｐ１２および点ｐ１３を結ぶ線分の垂線と点ｐ１３および点ｐ２２を結ぶ線分とがなす角度は２７．８度、水平面３ｃと第２の下側傾斜面３ｄとがなす角度は１２．５度である。
【００２６】
採光部３に配置されている第１の屈折体４ａおよび第２の屈折体４ｂは、第１の屈折体４ａおよび第２の屈折体４ｂの上面からみた配置状況を模式的に表す図６に示すように、上からみた各屈折体の入射時および出射時の境界面は平行となる。そのため、図６に示すように、２つの第１および第２の屈折体４ａ、４ｂを透過する透過光の上からみた進行方向は、図６中の円内に示すように、第１および第２の屈折体４ａ、４ｂを通過する前後で変わらない。つまり、採光部３に入射される太陽光の方位角が維持されることになる。
【００２７】
ここで、水平型光ダクト１のダクト幅が広い場合には、太陽光が水平型光ダクト１の幅方向に反射する回数が少ないため幅方向での反射減衰は少ない。したがって、幅方向の太陽光の反射減衰対策は必ずしも必要ではないが、本実施形態における水平型光ダクト１において、さらに幅方向での反射減衰を低減するようにしてもよい。
すなわち、本実施形態における水平型光ダクト１において、さらに上からみた太陽光の進行方向が、導光部５の延びる方向に沿って平行となるように、太陽光の進行方向を変更してもよい。以後、上からみた太陽光の進行方向が導光部５の延びる方向に沿って平行となるように太陽光の進行方向を変更することを平行化ともいう。
【００２８】
図７は、本発明における水平型光ダクト１においてさらに平行化するようにした水平型光ダクト１ａの一例を示したものであり、採光部３の幅方向の概略構成を説明するための部分断面図であって、水平型光ダクト１ａの幅方向の上半分を示したものである。下半分の形状は上半分と面対象の形状となる。なお、水平型光ダクト１ａは、採光部３の幅方向の側面形状が異なること以外は水平型光ダクト１と同様であるので、同一部には同一符号を付与しその詳細な説明は省略する。
【００２９】
図７に示すように、水平型光ダクト１ａの採光部３の向かい合う側面は、互いに平行に配置されているのではなく、鏡面反射材が配置された複数の鏡面反射面（図７の場合には、片側の側面にｍ５１〜ｍ５３が配置され且つ他方の側面にも同様に配置される）が所定の角度をもって接合されており、採光部３の開口部から離れるほど、側面間の距離が徐々に大きくなるように配置されている。
【００３０】
具体的には、採光部３の側面に配置された１または複数の鏡面反射面は、これら鏡面反射面で反射された太陽光の、上からみた進行方向が導光部５の延びる方向に沿って平行となるように、複数の鏡面反射面どうしのなす角度を調整して配置する。なお、複数の鏡面反射面は、入射される太陽光の太陽方位角に応じてその角度が決定される。すなわち、水平型光ダクト１ａが設置された地域或いは経度に基づいて決定される。
【００３１】
例えば、図７では、水平線に対して側面ｍ５１は３０度の角度で配置され、側面ｍ５２は２０度の角度で配置され、側面ｍ５３は１０度の角度で配置される。なお、図７では、採光部３の側面を、３つの側面ｍ５１〜ｍ５３により形成する場合について説明したがこれに限るものではなく、任意数の側面で形成することができ、所望とする太陽方位角の範囲に応じて形成すればよい。
【００３２】
複数の鏡面反射面を、図７に示すように角度をもって接合することによって、太陽光は太陽方位角に応じた鏡面反射面で反射され、太陽光の進行方向が導光部５の延びる方向と平行化される。通常、水平型光ダクトは南北軸に平行に配置されるため、平行化することによって光の進行方向が、南北軸と平行となるようにすることができる。この採光部３の両側面に形成された鏡面反射面も進行方向変更部を構成している。
【００３３】
このように、太陽光の進行方向を平行化することによって、取り込んだ光を導く割合はより高くなる。つまり、幅方向の反射がより少ない回数で太陽光を搬送することができるため、幅方向の反射減衰をより低減することができる。
ところで、太陽光の進行方向を平行化するために、図７に示すように採光部３の側面に鏡面反射面を所定の角度をもって接合することによってダクト幅は広がり、導光部５のダクト幅は、採光部３の開口部よりも約４倍程度に広がる。
つまり、ダクト幅を一定とすると、平行化を図ることによって、水平型光ダクト内に取り込める光量が１／４に減じることになる。
【００３４】
例えば採光部の側面が平行で、ダクト長さが１０ｍの水平型光ダクト（鏡面反射率９９％）であって、開口部（先端）に鏡面反射材が設けられていないシンプルな形状の水平型光ダクト、すなわち、採光部の側面に配置された向かい合う鏡面反射面間の距離が一定である水平型光ダクト（以後、シンプル光ダクトという。）である場合には、太陽方位角によってシンプル光ダクト内に入射される太陽光の割合が変わり、また反射減衰により、導かれる光量の割合も減少する。
【００３５】
これに対し、図７に示すように、採光部３の側面に複数の鏡面反射面が所定の角度をもって接合されてなる側面傾斜型の水平型光ダクト１ａの場合には、太陽方位角に関係なく高い割合で太陽光を搬送することができる。
しかしながら、側面傾斜型の水平型光ダクト１ａの場合には、前述のように、導光部のダクト幅が同一であるシンプル光ダクトに比べて採光部３の開口部が１／４程度となるため、ダクト幅が同一であるとすると、水平型光ダクト１ａは、採光部３の側面が平行なシンプル光ダクトに比較して、採光部３の開口部は小さい。つまり、そもそも開口部から取り込まれる光量が少ない。この開口部が小さいことによる光量の減分は、ダクト内壁の鏡面反射率が９９％とすると、採光部３の側面での約１３８回の反射による減衰と等しい。
【００３６】
例えば、側面傾斜型の水平型光ダクト１ａの導光部３のダクト幅が、シンプル光ダクトのダクト幅と同一である場合、太陽方位角４５度未満および１３５度を超える太陽方位角からの太陽光を導く光量は、開口部が南向きのダクト幅１２ｃｍのように非常に幅の狭い、ダクト長さが１６．５６ｍのシンプル光ダクトよりも、側面傾斜型の水平型光ダクト１ａの方が導く光量が少ない。
【００３７】
表１は、図７に示すように、南北軸と平行化するため、採光部３の側面を、複数の鏡面反射面を所定の角度をもって接合して形成した側面傾斜型の水平型光ダクト１ａ（ダクト幅１２ｃｍ、ダクト長さ１０ｍ、開口部は南向き）における、採光部３の側面を側面傾斜型にしたことによる効果を示したものである。
表１では、この側面傾斜型の水平型光ダクト１ａで太陽光を導く割合（すなわち、採光部３で取り込まれた太陽光を水平型光ダクト１ａの放光部７に導く割合）および導く光量（すなわち、採光部３の開口に入射した太陽光を水平型光ダクト１ａの放光部７まで導く光量）を比較している。表１では、水平型光ダクト１ａの太陽光を導く割合および導く光量を「１」とした場合の、シンプル光ダクト（採光部の側面が平行）の、方位角ごとの、太陽光を導く割合と導く光量とを表している。表１に示すように、側面傾斜型の水平型光ダクト１ａの方が、全太陽方位角において効率がよくなっている。つまり、表１から、採光部３の側面を、複数の鏡面反射面を所定の角度をもって接合して形成し、採光部３に入射した太陽光の平行化を図ることにより、効率がよくなることがわかる。
【００３８】
【表１】
2015069777.tif 000003
【００３９】
表２は、図９（ａ）に示す採光側端部に鏡面反射材が設けられた４５度傾斜面を有するシンプル光ダクト（採光部の側面は平行）の採光側端面で取り込める光量を「１」とした場合の、シンプル光ダクトが導ける光量と、図９（ｂ）に示す、図１に示す本実施形態における水平型光ダクト１、すなわち太陽光の進行方向を水平化する進行方向変更部を内蔵する水平型光ダクト１の導ける光量と、を示す。なお、図９（ａ）に示すシンプル光ダクト内の鏡面反射率は９９％とした。
【００４０】
表２において、水平型光ダクト１の効率には、水平化できなかった光が反射をくり返して到達する量は含んでいないが、水平型光ダクト１は、従来のシンプル光ダクトよりも非常に多くの光量を導けることがわかる。
なお、表２では、太陽高度毎の導ける光量を表しており、図８に示すような従来のシンプル光ダクトについてはダクトの長さが１０ｍ、１５ｍ、２０ｍの場合それぞれについて導ける光量を示している。シンプル光ダクトの場合、光ダクトの長さが長いほど、すなわち搬送する距離が長いほど、光量が減少していることがわかる。
【００４１】
【表２】
2015069777.tif 000004
【００４２】
以上説明したように、各太陽高度における太陽光を、水平化方法を用いて水平化するように各屈折体４ａ、４ｂの形状および位置や、採光部上面３ａ、下側傾斜面３ｂ、３ｄ、水平面３ｃの傾斜や長さを決定することによって、複数の太陽高度からの太陽光の進行方向を効率よく水平化することができる。
そして、このように、効率よく水平化することができるため、導光部５においては、太陽光を反射する回数を低減することができる。その結果、反射による光量の減衰を抑制することができる。
また、水平型光ダクト１の採光部３の側面に配置した鏡面反射材の角度や長さなどを適切に決定することによって、複数の太陽方位角からの太陽光の進行方向を効率よく平行化することができる。
【００４３】
そして、このように、太陽光の進行方向を水平化しかつ平行化することができるため、太陽光を搬送するにあたり導光部５において太陽光を反射する回数を低減することができる。その結果、反射による光量の減衰を抑制することができ、言い換えれば、より多くの光量を導くことができる。特に、進行方向変更部を採光部３に設けることによって、導光部５の入り口部分で太陽光の進行方向の水平化および平行化を図ることができるため、導光部５での反射回数を低減することができ効果的である。
また、このように、屈折体と鏡面反射材とを組み合わせることで、鏡面反射現象のみを利用して太陽光を水平化する場合に比較して、水平化を図るための機構をコンパクトにすることができる。
【００４４】
すなわち、鏡面反射現象のみを利用して太陽光の水平化を図ると、水平にしたい太陽高度の数と同数の傾斜鏡面反射面を導光部の端部に設ける必要があり、太陽光の水平化を図るための機構が長くなると同時に、各角傾斜反射面を積層化することになるため、ダクト背が大きくなる。したがって、このようなダクト背の大きな水平型光ダクトを天井懐に設置するためには、天井懐のスペースによっては、水平にしたい太陽高度の数を少なくしダクト背の縮小化を図る必要があり、その結果、導くことのできる光量が減る時間帯が生じることになり、すなわち、効率の低い時間帯が多くなる。
【００４５】
これに対し、本実施形態では、鏡面反射現象だけでなく屈折体も用い、太陽高度に応じてこれらのいずれかまたは複数を組み合わせて搬送することによって、よりコンパクトな機構で太陽光の水平化を図ることができる。
さらに、太陽光を水平化かつ平行化することで導光部材に光反射性が不要になり、水平型光ダクト１の製造コストを安くすることができる。
つまり、太陽光を水平化かつ平行化することで、導光部材に光反射性を持たせなくても、ある程度の光量の太陽光をある程度の距離まで導光することができる。したがって、所望とする放光口まで所望の光量の太陽光を導光するように、水平化および平行化を図ることによって、導光部材に光反射性を持たせることなく実現することができる。
【００４６】
また、このように、太陽光の進行方向を、水平化および平行化することによって、より多くの太陽光を導くことができる。そのため、例えば図１０に示すように、導光部５が他の設備９５を迂回する場合でも、この迂回をするために増えた反射による導ける光量の減衰分を許容できる。
また、導ける光量が十分にあれば、例えば図１１に示すように、同時に複数の放光口７ａ、７ｂに太陽光を導く場合であっても、各放光口に十分な光量を導くことができる。なお、図１１中の８ａは鏡面反射部であって、鏡面反射部８ａは傾きを調整可能に構成され、図１１に示すように鏡面反射部８ａを約４５度に傾けることによって、放光口７ａからの放光を行なうことができ、すなわち、放光口７ａおよび７ｂからの放光を行なうことができる。一方、鏡面反射部８ａの傾きを零、すなわち導光部５の壁面に沿わせることによって、放光口７ｂのみからの放光を行なうことができる。
【００４７】
なお、上記実施形態では、採光部３では、太陽光の進行方向の水平化を行なうとともに平行化も行なう場合について説明したが、太陽光の進行方向の水平化のみを行なうようにしてもよく、太陽光の進行方向を水平化するだけでも、導く光量を増加させることができる。
また、上記実施形態では、第１の屈折体４ａと第２の屈折体４ｂとの２つの屈折体を設ける場合について説明したが、これに限るものではなく、１つのみ、或いは３以上の屈折体を組み合わせてもよい。
また、上記実施形態では、太陽高度が、３０°から７０°の範囲の太陽光を水平化するようにしているが、この範囲の太陽光を水平化する場合に限るものではなく、所望とする太陽高度の太陽光を水平化するようにしてもよい。
【００４８】
また、上記実施形態では、採光部３に進行方向変更部を設けて水平化および平行化を行なう場合について説明しているが、例えば、図１０に示すように、水平型光ダクトが他の設備を迂回している場合などには、進行方向変更部を採光部３に設けるとともに、さらに水平型光ダクトが曲がっている部分などにも配置するようにしてもよい。
なお、本発明の範囲は、図示され記載された例示的な実施形態に限定されるものではなく、本発明が目的とするものと均等な効果をもたらすすべての実施形態をも含む。
さらに、本発明の範囲は、請求項により画される発明の特徴の組み合わせに限定されるものではなく、すべての開示されたそれぞれの特徴のうち特定の特徴のあらゆる所望する組み合わせによって画されうる。
【符号の説明】
【００４９】
１  水平型光ダクト
３  採光部
３ａ  採光部上面
３ｂ  第１の下側傾斜面
３ｃ  水平面
３ｄ  第２の下側傾斜面
４ａ  第１の屈折部
４ｂ  第２の屈折部
５  導光部
５ａ  導光部上面
５ｂ  導光部下面
７  放光部
【図１】
2015069777.tif 000005
【図２】
2015069777.tif 000006
【図３】
2015069777.tif 000007
【図４】
2015069777.tif 000008
【図５】
2015069777.tif 000009
【図６】
2015069777.tif 000010
【図７】
2015069777.tif 000011
【図８】
2015069777.tif 000012
【図９】
2015069777.tif 000013
【図１０】
2015069777.tif 000014
【図１１】
2015069777.tif 000015
【図１２】
2015069777.tif 000016
【図１３】
2015069777.tif 000017
【図１４】
2015069777.tif 000018